(57)【要約】【課題】悪戯によって排水栓の持ち去りを防止するために栓軸部の係合孔と作動レバーの先端部とを係合させる構造となした排水栓装置においても、ヘアキャッチャーを設けることを可能となし、且つヘアキャッチャーや排水栓等の清掃等のメンテナンスを簡単に行うことのできる排水栓装置を提供する。【解決手段】排水栓装置において、排水栓３４から延び出た栓軸部３６を下部３６-２と上部３６-１とに分割して、ヘアキャッチャー６２を下部３６-２に対して回転可能に連結するとともに、下部３６-２には雄ねじ頭部７４と小径の首部７６とを、またヘアキャッチャー６２には雌ねじ通過部７８と雄ねじ頭部７４を空回転状態に収容する回転空間８０とを設け、ヘアキャッチャー６２に対する引き上げ及び回転操作により雄ねじ頭部７４を雌ねじ通過部７８に螺合させた上、雌ねじ通過部７８を通過して軸方向に離脱させるようになす。【選択図】        図１
2008025277.tif 000002
【特許請求の範囲】
【請求項１】
内側に排水の流路を形成する排水筒と、上下移動により該排水筒の排水口を開閉する排水栓と、該排水栓の下面から下方に延びた栓軸部と、排水栓の下側で該栓軸部に設けられ、複数の上下に貫通した通水孔を有するヘアキャッチャーと、を有する排水栓装置において
前記栓軸部を前記ヘアキャッチャーの下側の下部と上側の上部とに分割して、該ヘアキャッチャーを該下部に対して回転可能に連結するとともに、それらヘアキャッチャーと下部との一方には雄ねじ頭部と、該雄ねじ頭部の付根側において該雄ねじ頭部よりも小径の首部を設けるとともに、他方には該雄ねじ頭部に螺合する雌ねじ通過部と、その軸方向奥部において該雄ねじ頭部を空回転状態に収容する回転空間とを設け、通常時には該回転空間内にあって空回転状態にある前記雄ねじ頭部を、前記ヘアキャッチャーに対する引き上げ及び回転操作により前記雌ねじ通過部に螺合させた上、該雌ねじ通過部を通過して軸方向に離脱させるようになしてあることを特徴とする排水栓装置。
【請求項２】
内側に排水の流路を形成する排水筒と、上下移動により該排水筒の排水口を開閉する排水栓と、該排水栓の下面から下方に延びた栓軸部と、排水栓の下側で該栓軸部に設けられ、複数の上下に貫通した通水孔を有するヘアキャッチャーと、を有する排水栓装置において
前記栓軸部を前記ヘアキャッチャーの下側の下部と上側の上部とに分割し、且つヘアキャッチャーの外周面を前記排水筒の内面の該ヘアキャッチャーに対向する部分に対して回転可能となすとともに、該ヘアキャッチャーの外周面には雄ねじ部を、前記排水筒の内面には該雄ねじ部の上側において該雄ねじ部に螺合する雌ねじ通過部を設け、通常時には該雌ねじ通過部に対して非螺合状態にある前記ヘアキャッチャーの外周面の雄ねじ部を、該ヘアキャッチャーに対する引き上げ及び回転操作により該雌ねじ通過部に螺合させた上、該雌ねじ通過部を通過して上方に離脱させるようになしてあることを特徴とする排水栓装置。
【請求項３】
請求項１，２の何れかにおいて、前記栓軸部の前記上部は前記排水栓と前記ヘアキャッチャーとを一体回転状態に連結していることを特徴とする排水栓装置。
【請求項４】
内側に排水の流路を形成する排水筒と、上下移動により該排水筒の排水口を開閉する排水栓と、該排水栓の下面から下方に延びた栓軸部と、排水栓の下側で該栓軸部に設けられ、複数の上下に貫通した通水孔を有するヘアキャッチャーと、を有する排水栓装置において
前記栓軸部を前記ヘアキャッチャーの上側又は下側で、上方側の第１軸部と下方側の第２軸部とに分割するとともに、何れか一方には雄ねじ頭部と、該雄ねじ頭部の付根側において雄ねじ頭部よりも小径の首部を設けるとともに、他方には該雄ねじ頭部に螺合する雌ねじ通過部と、その軸方向奥部において該雄ねじ頭部を空回転状態に収容する空回転空間とを設け、通常時には該空回転空間内にあって空回転状態にある前記雄ねじ頭部を、前記上方側の第１軸部に対する引き上げ及び回転操作により前記雌ねじ通過部に螺合させた上、該雌ねじ通過部を通過して軸方向に離脱させるようになしてあることを特徴とする排水栓装置。
【請求項５】
請求項４において、前記第１軸部は前記排水栓と一体回転するものとなしてあることを特徴とする排水栓装置。
【請求項６】
請求項１〜５の何れかにおいて、前記栓軸部には貫通の係合孔が設けられていて、該係合孔に作動レバーの先端部を挿入して係合させ、該作動レバーの先端部を上向きに移動させることによって、該栓軸部を介して前記排水栓を上昇移動させて開くようになしてあることを特徴とする排水栓装置。
【発明の詳細な説明】
【技術分野】
【０００１】
この発明は洗面器や手洗器等の底部に設けられる排水栓装置に関する。
【背景技術】
【０００２】
洗面器や手洗器の底部に設置される排水栓装置として、内側に排水の流路を形成する排水筒と、上下移動により排水筒の排水口を開閉する排水栓と、排水栓の下面より下方に延びた栓軸部とを有し、そしてその栓軸部に設けた貫通の係合孔に作動レバーの先端部を挿入して係合させ、作動レバーの先端部を上向きに移動させることによって栓軸部を介して排水栓を上昇移動させて開くようになした排水栓装置が従来公知である。
この種排水栓装置は、主として公共施設の手洗器等に広く設けられており、この場合排水栓装置には複数の通水孔を有するヘアキャッチャーは特に設けられていない。
【０００３】
一般の家庭用の洗面器や手洗器等の排水栓装置にあっては、作動レバーの先端部に栓軸部の下端を当接させ、作動レバーの先端部の上昇移動により栓軸部を介して排水栓を持ち上げて（上昇移動させて）排水栓を開き、排水口を開放するようになしており、この場合、排水栓は栓軸部とともに排水口から上方に取出可能である。
従って排水栓或いは内側に排水路を形成する排水筒内面の清掃等のメンテナンスを容易に行うことができ、従ってまた排水栓の下側において栓軸部に複数の通水孔を有するヘアキャッチャーを設けておくこともできる。
このようなヘアキャッチャーを設けておいても、そこに毛髪やごみ等が溜まったときに、容易にその清掃等のメンテナンス作業を行うことができる。
【０００４】
これに対して公共施設の洗面器や手洗器等に設置される排水栓装置の場合、排水栓を排水口から取出可能となしておくと、悪戯によって排水栓が持ち去られてしまう恐れがある。
そこで公共施設の手洗器等に設置される排水栓装置にあっては、排水栓を排水口から取出しできないようになしてある。
【０００５】
詳しくは、公共施設の手洗器等に設置される排水栓装置にあっては、上記のように栓軸部に貫通の係合孔を設けて、そこに作動レバーの先端部を挿入し、係合させるようになしている。
この場合、排水栓は作動レバーの先端部の上下移動によって一定距離上下移動、即ち開閉可能であるものの、係合孔と作動レバーの先端部との係合によって排水口からは取出不能である。
【０００６】
図８は公共施設の手洗器等に設置される上記の排水栓装置の一例を具体的に示している。
図８において、２００は内側に排水路２０２を形成する排水筒で、上端に排水口２０４を備えている。
２０６は排水口２０４を開閉する排水栓で、その下面から栓軸部２０８が延び出している。
この栓軸部２０８の下端部には、正面形状が円形の貫通の係合孔２１０が設けられており、そこに作動レバー（キックレバー）２１２の先端部２１６が挿入されて係合孔２１０に係合されている。
【０００７】
ここで作動レバー２１２には軸方向所定箇所にボール部２１４が設けられており、作動レバー２１２は同部分を支点として図中上下方向に回動可能である。
尚排水栓２０６の下側には断面形状が十字状をなすガイド部２１５が排水栓２０６及び栓軸部２０８に一体に設けられており、このガイド部２１５が排水筒２００の内面を摺動することで排水栓２０６の上下移動の際の案内が行われる。
【０００８】
この排水栓装置にあっては、手洗器の上面の水栓等に設けた押ボタン式の操作部を下向きに押込操作すると、作動レバー２１２の図中右端部が下向きに押されて、反対側の先端部２１６が上向きに移動し、これにより栓軸部２０８を介して排水栓２０６が上方に押し上げられて（上昇移動して）排水口２０４を開放する。
また操作部を引き上げると作動レバー２１２の図中右端部が上向きに、また逆の先端部２１６が下向きに移動して、栓軸部２０８を介して排水栓２０６が下降移動して排水口２０４を閉鎖する。
【０００９】
この図８に示す排水栓装置の場合、作動レバー２１２の回動によって排水栓２０６を押し上げて開いた状態の下でも、栓軸部２０８の係合孔２１０と作動レバー２１２の先端部２１６とは係合したままであり、従って排水栓２０６は排水口２０４から取り出すことができず、排水栓２０６が悪戯によって持ち去られてしまうのを防止することができる。
【００１０】
一方でこの排水栓装置の場合、排水栓２０６が排水口２０４から取出不能な構造となっていることから、清掃等のメンテナンスを行うときに排水栓装置自体を分解しなければならず、清掃等のメンテナンス作業のために多大な時間と労力を要する問題がある。
更にこの排水栓装置の場合、その構造上の問題から複数の通水孔を有するヘアキャッチャーも設けられていない。
【００１１】
しかしながら公共施設の手洗器等に設置される排水栓装置にあってもヘアキャッチャーを設けることの要請、即ちヘアキャッチャーを設けた場合においても、その掃除等のメンテナンスを行えるようにすることの要請があり、また必要な場合には排水栓を取り出してこれを丸洗いする等により簡単にその清掃等のメンテナンスを行えるようにすることも求められていた。
本発明はこのような問題点を解決することを狙いとするものである。
尚本願発明に対する先行技術として下記特許文献１に開示されたものがあるが、このものは本発明の問題点を解決することができない。
【００１２】
【特許文献１】実開昭４８−２４７５３号公報
【発明の開示】
【発明が解決しようとする課題】
【００１３】
本発明は以上のような事情を背景とし、悪戯によって排水栓の持ち去りを防止するために栓軸部の係合孔と作動レバーの先端部とを係合させる構造となした排水栓装置においてもヘアキャッチャーを設けることを可能となし、且つヘアキャッチャーや排水栓等の清掃等のメンテナンスを簡単に行うことのできる排水栓装置を提供することを目的としてなされたものである。
【課題を解決するための手段】
【００１４】
而して請求項１のものは、内側に排水の流路を形成する排水筒と、上下移動により該排水筒の排水口を開閉する排水栓と、該排水栓の下面から下方に延びた栓軸部と、排水栓の下側で該栓軸部に設けられ、複数の上下に貫通した通水孔を有するヘアキャッチャーと、を有する排水栓装置において、前記栓軸部を前記ヘアキャッチャーの下側の下部と上側の上部とに分割して、該ヘアキャッチャーを該下部に対して回転可能に連結するとともに、それらヘアキャッチャーと下部との一方には雄ねじ頭部と、該雄ねじ頭部の付根側において該雄ねじ頭部よりも小径の首部を設けるとともに、他方には該雄ねじ頭部に螺合する雌ねじ通過部と、その軸方向奥部において該雄ねじ頭部を空回転状態に収容する回転空間とを設け、通常時には該回転空間内にあって空回転状態にある前記雄ねじ頭部を、前記ヘアキャッチャーに対する引き上げ及び回転操作により前記雌ねじ通過部に螺合させた上、該雌ねじ通過部を通過して軸方向に離脱させるようになしてあることを特徴とする。
【００１５】
請求項２のものは、内側に排水の流路を形成する排水筒と、上下移動により該排水筒の排水口を開閉する排水栓と、該排水栓の下面から下方に延びた栓軸部と、排水栓の下側で該栓軸部に設けられ、複数の上下に貫通した通水孔を有するヘアキャッチャーと、を有する排水栓装置において、前記栓軸部を前記ヘアキャッチャーの下側の下部と上側の上部とに分割し、且つヘアキャッチャーの外周面を前記排水筒の内面の該ヘアキャッチャーに対向する部分に対して回転可能となすとともに、該ヘアキャッチャーの外周面には雄ねじ部を、前記排水筒の内面には該雄ねじ部の上側において該雄ねじ部に螺合する雌ねじ通過部を設け、通常時には該雌ねじ通過部に対して非螺合状態にある前記ヘアキャッチャーの外周面の雄ねじ部を、該ヘアキャッチャーに対する引き上げ及び回転操作により該雌ねじ通過部に螺合させた上、該雌ねじ通過部を通過して上方に離脱させるようになしてあることを特徴とする。
【００１６】
請求項３のものは、請求項１，２の何れかにおいて、前記栓軸部の前記上部は前記排水栓と前記ヘアキャッチャーとを一体回転状態に連結していることを特徴とする。
【００１７】
請求項４のものは、内側に排水の流路を形成する排水筒と、上下移動により該排水筒の排水口を開閉する排水栓と、該排水栓の下面から下方に延びた栓軸部と、排水栓の下側で該栓軸部に設けられ、複数の上下に貫通した通水孔を有するヘアキャッチャーと、を有する排水栓装置において、前記栓軸部を前記ヘアキャッチャーの上側又は下側で、上方側の第１軸部と下方側の第２軸部とに分割するとともに、何れか一方には雄ねじ頭部と、該雄ねじ頭部の付根側において雄ねじ頭部よりも小径の首部を設けるとともに、他方には該雄ねじ頭部に螺合する雌ねじ通過部と、その軸方向奥部において該雄ねじ頭部を空回転状態に収容する空回転空間とを設け、通常時には該空回転空間内にあって空回転状態にある前記雄ねじ頭部を、前記上方側の第１軸部に対する引き上げ及び回転操作により前記雌ねじ通過部に螺合させた上、該雌ねじ通過部を通過して軸方向に離脱させるようになしてあることを特徴とする。
【００１８】
請求項５のものは、請求項４において、前記第１軸部は前記排水栓と一体回転するものとなしてあることを特徴とする。
【００１９】
請求項６のものは、請求項１〜５の何れかにおいて、前記栓軸部には貫通の係合孔が設けられていて、該係合孔に作動レバーの先端部を挿入して係合させ、該作動レバーの先端部を上向きに移動させることによって、該栓軸部を介して前記排水栓を上昇移動させて開くようになしてあることを特徴とする。
【発明の作用・効果】
【００２０】
以上のように請求項１のものは、排水栓の下側で栓軸部にヘアキャッチャーを設けてなる排水栓装置において、栓軸部をヘアキャッチャーの下側の下部と上側の上部とに分割して、ヘアキャッチャーをその下部に対し回転可能に連結し、更にそれらヘアキャッチャーと下部との何れか一方に雄ねじ頭部とこれより小径の首部とを設けるとともに、他方には雄ねじ頭部に螺合する雌ねじ通過部とその軸方向奥部の回転空間とを設け、通常時には回転空間内にあって空回転状態にある雄ねじ頭部を、ヘアキャッチャーに対する引き上げ及び回転操作により雌ねじ通過部に螺合させた上、これを通過して軸方向に離脱するようになしたものである。
【００２１】
かかる本発明では、通常の状態ではヘアキャッチャーは栓軸部における下部に対して空回転状態にあり、従って排水栓装置の構造に関して詳しくない通常の使用者はヘアキャッチャーを排水口から取り出せず、これによりヘアキャッチャー及びその上側の排水栓が悪戯により持ち去られるといったことが防止できる。
【００２２】
一方で排水栓装置の構造に詳しいメンテナンス作業者は、清掃等の必要が生じたときにヘアキャッチャーに対する引き上げ及び回転操作により、これを栓軸部における下部から分離して、その上側の排水栓及び栓軸部の上部とともに排水口から取り出すことができ、その状態でそれらに対して掃除等のメンテナンスを行うことができる。
またヘアキャッチャー及び排水栓を排水筒から取り出すことによって、排水筒内面即ち排水の流路に対する掃除等も容易に行えるようになる。
【００２３】
一方請求項２のものは、ヘアキャッチャーの外周面に雄ねじ部を、また排水筒の内面には雄ねじ部の上側において雌ねじ通過部を設け、通常時には雌ねじ通過部に対して非螺合状態にあるヘアキャッチャーの外周面の雄ねじ部を、ヘアキャッチャーに対する引き上げ及び回転操作により雌ねじ通過部に螺合させた上、これを通過して上方に離脱させるようになしたもので、この請求項２においても請求項１と同様の効果を奏することができる。
【００２４】
これらの場合において、上記栓軸部の上部は排水栓とヘアキャッチャーとを一体回転状態で連結するものとなしておくことができる（請求項３）。
このようにしておけば、上端の排水栓をつかんでこれを引き上げながら回転操作することで、ヘアキャッチャー及びその上側の排水栓と栓軸部の上部とを排水口から取り出して、掃除等のメンテナンスを行うことができる。
【００２５】
次に請求項４は、ヘアキャッチャーの上側又は下側で栓軸部を上方の第１軸部と下方側の第２軸部とに分割するとともに、それらの間に上記請求項１と同様の着脱構造を設けたものである。
この場合においてヘアキャッチャーよりも下側で栓軸部を上方の第１軸部と第２軸部とに分割した場合には、第１軸部に対する引き上げ及び回転操作によりヘアキャッチャー，排水栓を第１軸部とともに排水口から取り出すことが可能となり、その取出状態でそれらの清掃を行えるようになる。
【００２６】
また一方ヘアキャッチャーよりも上側で栓軸部を第１軸部と第２軸部とに分割して、それらを上記構造にて着脱可能に連結した場合には、排水栓を第１軸部とともに排水口から取り出すことができ、排水栓の掃除を取出状態の下で容易に行うことができるとともに、排水栓の取り出しによって、その下側にあったヘアキャッチャーを露出状態となすことができ、排水筒内部にあるヘアキャッチャーに対して掃除等のメンテナンスを行うことが可能となる。
【００２７】
またこれら請求項４，請求項５においては、栓軸部に着脱構造が設けてあるため、かかる着脱構造をヘアキャッチャーに設ける必要が無く、それ故ヘアキャッチャーに着脱構造を設けるためのスペースを確保しておかなくても良く、ヘアキャッチャーの構造が複雑化しない利点が得られる。
【００２８】
この場合において、第１軸部は排水栓と一体回転するものとなしておくことができる（請求項５）。
このようにしておけば、排水栓を引き上げ及び回転操作することで、第１軸部を第２軸部から離脱させることができ、操作がより容易となる。
【００２９】
本発明は、栓軸部に貫通の係合孔を設けてそこに作動レバーの先端部を挿入して係合させ、その作動レバーの先端部を上向きに移動させることで栓軸部を介して排水栓を上昇移動させ開くようになした排水栓装置に適用して特に好適なものである（請求項６）。
【発明を実施するための最良の形態】
【００３０】
次に本発明の実施形態を図面に基づいて詳しく説明する。
図１において、１０はポップアップ式排水栓装置（以下単に排水栓装置とする）の本体部で、排水筒１２を有している。
排水筒１２は上部排水筒１２Ａと下部排水筒１２Ｂとに分かれており、その下部排水筒１２Ｂの上端内周面に形成された雌ねじが、上部排水筒１２Ａの下部外周面に形成された雄ねじにねじ結合されている。
尚１４はリングナットである。
ここで下部排水筒１２Ｂには管状の枝部１６が一体に構成されている。
排水筒１２は内部に排水路１８を有しており、またその上端には手洗器等の鉢部２０の底部で開口する排水口２２が備えられている。
【００３１】
２４は上部排水筒１２Ａの下部外周面の雄ねじに螺合された固定ナットで、この固定ナット２４を上向きにねじ込むことで、上部排水筒１２Ａの上端のフランジ部２６と板状の挟持部材２８とが鉢部２０の底部を上下両側からパッキン３０，３２を介して挟み込む状態に排水筒１２が鉢部２０の底部に固定される。
【００３２】
３４は排水口２２を開放し或いは閉鎖する排水栓で、その下面から栓軸部３６が下向きに延び出している。
この栓軸部３６の下端部には、貫通の且つ円形の係合孔４０が設けられており、そこに作動レバー４２の先端部５０が挿入されて、それらが上下方向に互いに係合させられている。
【００３３】
作動レバー（キックレバー）４２には、両軸端の間の部位にボール部４４が設けられており、このボール部４４が枝部１６にねじ結合されたハウジング４６の内部に収容されている。ここでボール部４４はスプリング４８によって図中左向きに付勢されている。
ここで作動レバー４２の先端部５０（図中左端部）は、上記のように栓軸部３６の係合孔４０に挿入されて係合せしめられている。
【００３４】
この実施形態では、作動レバー４２の図中右端部に作動的に連結された操作部を図１に示す状態で下向きに押込操作すると、作動レバー４２がボール部４４を支点として図中時計方向に回動し、その先端部５０を上向きに移動させる。
これにより排水栓３４が栓軸部３６を介して押し上げられて（上昇移動させられて）開き、排水口２２を開放する。
またこの状態で操作部を引上操作すると、作動レバー４２がボール部４４を支点として図中反時計方向に回動し、先端部５０を下降移動させる。ここにおいて排水栓３４が下降移動して排水口２２を閉鎖する。
【００３５】
上記栓軸部３６には、排水栓３４の下側でヘアキャッチャー６２が設けられ、またその下側にヘアキャッチャー６２とは別体をなすガイド部６４が設けられている。
ここで栓軸部３６はヘアキャッチャー６２の上側の上部３６-１と下側の下部３６-２とに２分割されている。
本実施形態において、ヘアキャッチャー６２は上部３６-１に対し上下方向に固定状態に設けられており、またその下側のガイド部６４は下部３６-２に対して同じく上下方向に固定状態に設けられている。
ここでヘアキャッチャー６２及びガイド部６４は樹脂製とされている。
尚、栓軸部３６における上部３６-１は排水栓３４とヘアキャッチャー６２とを一体回転状態に連結している。
【００３６】
ヘアキャッチャー６２は、図２に示しているように中心筒５４-１とリング状の外周部６６との間に放射状に延びる板状の仕切りを有しており、それら仕切りの間に上下に貫通の複数の通水孔６８が形成されている。
一方下部のガイド部６４は、中心筒５４-２から横断面形状が十字状をなすように延びる複数のガイド片７０を有しており、これらガイド片７０の外周端が、図１の排水筒１２の内面に対し上下に摺動して、ヘアキャッチャー５２，栓軸部３６及び排水栓３４の上下の移動時の案内をなすようになっている。
ここでガイド部６４の中心筒５４の内側には挿通孔５６（図２参照）が形成され、そこに栓軸部３６の下部３６-２が挿通されている。
【００３７】
図１に示しているように、ヘアキャッチャー６２はガイド部６４の上面で回転可能に支持された状態で、脱着機構７２にて栓軸部３６の下部３６-２の上端部に回転可能且つ脱着可能に連結されている。
この脱着機構７２は次のような構造をなしている。
即ち、図３（Ｂ）にも示しているように下部３６-２の上端部には雄ねじ頭部７４が設けられ、更にその下側（付根側）にはこれよりも小径をなす首部７６が設けられている。
【００３８】
一方ヘアキャッチャー６２の側には、これら雄ねじ頭部７４及び首部７６を挿入させる挿入孔が、その下面から上向きに設けられている。
この挿入孔は、雄ねじ頭部７４に螺合する雌ねじ通過部７８と、その上側の回転空間８０とを有している。
雌ねじ通過部７８は、雄ねじ頭部７４を螺合させた上、これを軸方向に通過させる部分であり、また回転空間８０は、雄ねじ頭部７４を内部に空回転状態に収容する部分で、雄ねじ頭部７４に対してその内径が大径をなしている。
【００３９】
図３及び図４は本実施形態の排水栓装置の作用を表している。
図３（Ｉ）は、作動レバー４２を図中時計方向に回動させて、その先端部５０により排水栓３４を栓軸部３６を介して押し上げ、開いた状態を表している。
【００４０】
このとき、栓軸部３６の下部３６-２の上端部に設けた雄ねじ頭部７４は、ヘアキャッチャー６２に設けた回転空間８０内にあって空回転状態にあり、従ってこの状態で排水栓３４を回転操作しても、即ちヘアキャッチャー６２を回転させても、ヘアキャッチャー６２は空回転するだけで栓軸部３６の下部３６-２から離脱することは無い。
即ちこのような操作が行われたとしても、排水栓３４及びヘアキャッチャー６２は排水口２２から取り出されることはない。
【００４１】
これに対して、図３（II）に示しているように排水栓３４を引き上げ、更に図４（III）に示しているようにこれを回転操作すると、雄ねじ頭部７４が雌ねじ通過部７８に嵌り合って螺合状態となり、更なる排水栓３４の回転操作によって、図４（IV）に示しているように雄ねじ頭部７４が雌ねじ通過部７８を軸方向に通過してこれから離脱する。
【００４２】
即ち排水栓３４に対して引上操作と回転操作との異なった２つの操作を行うことで、詳しくは排水栓３４を介してヘアキャッチャー６２に対し引上操作と回転操作とを行うことで、ここで初めてヘアキャッチャー６２が栓軸部３６の下部３６-２から離脱して、その上側の排水栓３４及び栓軸部３６の上部３６-１とともに排水口２２から取出可能となる。
【００４３】
尚この実施形態では栓軸部３６、詳しくは下部３６-２の側に雄ねじ頭部７４，首部７６が設けられ、またヘアキャッチャー６２の側に雌ねじ通過部７８及び回転空間８０が設けられているが、それらの位置関係を逆にすること、即ちヘアキャッチャー６２の側に雄ねじ頭部７４，首部７６を設け、また下部３６-２の側に雌ねじ通過部７８及び回転空間８０を設けるといったことも場合により可能である。
【００４４】
以上のような本実施形態においては、通常の状態ではヘアキャッチャー６２は空回転状態にあり、従って排水栓装置の構造に関して詳しくない通常の使用者はヘアキャッチャー６２を排水口２２から取り出せず、これによりヘアキャッチャー６２及びその上側の排水栓３４が悪戯により持ち去られるといったことが防止できる。
【００４５】
一方で排水栓装置の構造に詳しいメンテナンス作業者は、清掃等の必要が生じたときにヘアキャッチャー６２に対する引き上げ及び回転操作により排水口２２から取り出すことができ、その状態でそれらを丸洗いする等して容易に掃除等のメンテナンスを行うことができる。
またヘアキャッチャー６２及び排水栓３４を排水筒１２から取り出すことによって、排水筒１２内面即ち排水路１８に対する掃除等も容易に行うことができるようになる。
【００４６】
また本実施形態では、栓軸部３４の上部３６-１が排水栓３４とヘアキャッチャー６２とを一体回転状態で連結しているため、上端の排水栓３４をつかんでこれを引き上げながら回転操作することで、ヘアキャッチャー６２を排水栓３４とともに排水口２２から取り出すことができる。
【００４７】
図５及び図６は本発明の他の実施形態を示している。
この例は、ヘアキャッチャー６２の外周面を排水筒１２、詳しくは上部排水筒１２Ａの内面の、ヘアキャッチャー６２に対向する部分に対して回転可能となすとともに、ヘアキャッチャー６２の外周面に雄ねじ部８２を、また上部排水筒１２Ａの内面には雄ねじ部８２の上側において、雄ねじ部８２に螺合する雌ねじ通過部８４を設けたものである。
【００４８】
この例は、ヘアキャッチャー６２と栓軸部３６の下部３６-２とにまたがって上記脱着機構７２を設けるのに代えて、ヘアキャッチャー６２の外周面に雄ねじ部８２を、また上部排水筒１２Ａの内周面に雌ねじ通過部８４を設けた点で上記第１実施形態と異なっているだけであり、他の点については基本的に上記実施形態とその構成は同様である。
【００４９】
この例の場合、通常時にはヘアキャッチャー６２は雌ねじ通過部８４よりも下側にあって、雌ねじ通過部８４に対しヘアキャッチャー６２の外周面の雄ねじ部８２は非螺合状態にあり、従って排水栓３４を回転操作しても、ヘアキャッチャー６２はガイド部６４の上面で空回転するだけで、ヘアキャッチャー６２を排水栓３４とともに排水口２２から外部に取り出すことはできない。
【００５０】
一方図５（II），図６（III）に示しているように、排水栓３４を上に引き上げ操作しながら回転操作すると、ヘアキャッチャー６２の外周面の雄ねじ部８２が、雌ねじ通過部８４に螺合した上、これを通過して図６（IV）に示しているように雌ねじ部８４から上向きに離脱する。
ここにおいてヘアキャッチャー６２がその上側の排水栓３４及び栓軸部３６の上部３６-１とともに排水口２２から取出可能となる。
【００５１】
以上のような本実施形態においては、図１の実施形態と同様に、排水栓装置の構造に関して詳しくない通常の使用者は排水栓３４及びヘアキャッチャー６２を排水口２２から取り出せず、これにより排水栓３４及びヘアキャッチャー６２が悪戯により持ち去られるといったことが防止できる。
【００５２】
一方で排水栓装置の構造に詳しいメンテナンス作業者は、清掃等の必要が生じたときに、排水栓３４に対する引き上げ及び回転操作により、排水栓３４及びヘアキャッチャー６２を排水口２２から取り出すことができ、その取出状態でそれらを掃除することができる。
またヘアキャッチャー６２及び排水栓３４を排水筒１２から取り出すことによって、排水筒１２内面即ち排水路１８に対する掃除等も容易に行うことができるようになる。
【００５３】
また本実施形態においても、栓軸部３４の上部３６-１は排水栓３４とヘアキャッチャー６２とを一体回転状態で連結するものとなしているため、上端の排水栓３４をつかんでこれを引き上げながら回転操作することで、ヘアキャッチャー６２及び排水栓３４を栓軸部３６の上部３６-１とともに排水口２２から取り出すことができる。
【００５４】
図７は本発明の更に他の実施形態を示している。
この例は栓軸部３６を、ヘアキャッチャー６２と排水栓３４との間の部分で上方の第１軸部３６-３と、下方の第２軸部３６-４とに分割し、そしてそれら第１軸部３６-３と第２軸部３６-４とを図１の脱着機構７２と同様の構造の脱着機構８６にて脱着可能に連結したものである。
【００５５】
図７の部分拡大図に示しているようにこの脱着機構８６は第１軸部３６-３の下端部の大径部９０と、第２軸部３６-４の上端部とにまたがって設けられている。
この脱着機構８６は、上記と同様に第２軸部３６-４の上端部に設けられた雄ねじ頭部７４と、その下側（付根側）の小径の首部７６、及び第１軸部３６-３の側に設けられ、雄ねじ頭部７４に螺合する雌ねじ通過部７８と、その上側に設けられた回転空間８０とを有している。
【００５６】
それぞれの働きは図１〜図４に示した実施形態のものと基本的に同様である。
尚この実施形態において、排水栓３４と第１軸部３６-３とは一体回転するものとなしてある。
この実施形態においても、第１軸部３６-３の側に雄ねじ頭部７４及び首部７６を、また第２軸部３６-４の側に雌ねじ通過部７８及び回転空間８０を設けるようになしても良い。
【００５７】
尚この実施形態では、第２軸部３６-４に段付部８８が設けられており、第１軸部３６-３の大径部９０の下面が、この段付部８８によって回転可能に支持されるようになっている。
この例ではヘアキャッチャー６２と排水栓３４との間の部分で栓軸部３６を第１軸部３６-３と第２軸部３６-４とに分割して、それらを脱着機構８６にて連結しているが、ヘアキャッチャー６２の下側、詳しくはガイド部の下側において栓軸部３６を上方の第１軸部３６-３と下方の第２軸部３６-４とに分割して、それらを脱着機構８６にて脱着可能に連結するようになしても良い。
【００５８】
この実施形態では、排水栓３４を第１軸部３６-３とともに排水口２２から取り出すことができ、排水栓３４の掃除を簡単に行うことができるとともに、排水栓３４の取り出しによって、その下側にあったヘアキャッチャー６２を露出状態となすことができ、従ってその排水筒１２内部にあるヘアキャッチャー６２に対する掃除等のメンテナンスも行うことが可能である。
【００５９】
また栓軸部３６に脱着構造８６が設けてあるため、かかる脱着構造８６を（詳しくはその一部を）ヘアキャッチャー６２に設ける必要が無く、それ故ヘアキャッチャー６２に脱着構造８６を設けるためのスペースを確保しておかなくても良く、ヘアキャッチャー６２の構造が複雑化しない利点が得られる。
さらに第１軸部３６-３は排水栓３４と一体回転するものとなしているため、排水栓３４を引き上げ及び回転操作することで第１軸部３６-３を第２軸部３６-４から離脱させることができ、操作が容易である。
【００６０】
以上本発明の実施形態を詳述したがこれはあくまで一例示であり、本発明はその趣旨を逸脱しない範囲において種々変更を加えた形態で構成可能である。
【図面の簡単な説明】
【００６１】
【図１】本発明の一実施形態である排水栓装置を示した図である。
【図２】同実施形態における排水栓及びヘアキャッチャー及びガイド部の拡大斜視図である。
【図３】同実施形態の排水栓装置の作用説明図である。
【図４】図３に続く排水栓装置の作用説明図である。
【図５】本発明の別の実施形態である排水栓装置をその作用とともに示した図である。
【図６】図５に続く排水栓装置の作用説明図である。
【図７】本発明のさらに別の実施形態である排水栓装置を示した図である。
【図８】従来の排水栓装置の一例を表した図である。
【符号の説明】
【００６２】
１０  （ポップアップ式）排水栓装置の本体部
１２  排水筒
１８  排水路
２２  排水口
３４  排水栓
３６  栓軸部
３６-１  上部
３６-２  下部
３６-３  第１軸部
３６-４  第２軸部
４０  係合孔
４２  作動レバー
５０  先端部
６２  ヘアキャッチャー
６８  通水孔
７２  脱着機構
７４  雄ねじ頭部
７６  首部
７８  雌ねじ通過部
８０  回転空間
８２  雄ねじ部
８４  雌ねじ通過部
８６  脱着機構
【図１】
2008025277.tif 000003
【図２】
2008025277.tif 000004
【図３】
2008025277.tif 000005
【図４】
2008025277.tif 000006
【図５】
2008025277.tif 000007
【図６】
2008025277.tif 000008
【図７】
2008025277.tif 000009
【図８】
2008025277.tif 000010